(57)【要約】【課題】  口筒部の上端面に形成されるＵＰＩ法による切断痕への指先等の接触を口筒部の形状により抑制することを技術的課題とするものであり、もって安全で、安心して使用できる合成樹脂製容器を低コストで提供することを目的とする。【解決手段】  押出しブロー成形による容器の口筒部において、この口筒部の上端面を、上端面の内側周部に比較して外側周部を段差状に僅かに下位に位置させた形状とし、ブロー成形時に、ブロー成形割金型に挟持されるパリソンの上方からプラグを押し込んで、内側周部の外周縁部分で、この割金型とプラグにより構成される喰切り部により口筒部の上端面上方の不要部分を切断除去したものとする。【選択図】図１
2008110791.tif 000002
【特許請求の範囲】
【請求項１】
押出しブロー成形による容器(1)の口筒部(2)であって、該口筒部(2)の上端面を、該上端面(2)の内側周部(3)に比較して外側周部(4)を段差状に僅かに下位に位置させた形状とし、ブロー成形時に、ブロー成形用の割金型(M)に挟持されるパリソン(P)の上方からプラグ(PL)を押し込んで、前記内側周部(3)の外周縁部分で、前記割金型(M)とプラグ(PL)により構成される喰切り部(C)により前記口筒部(2)の上端面上方の不要部分を切断除去したことを特徴とする合成樹脂製容器の口筒部。
【請求項２】
内側周部(3)と外側周部(4)の段差(h)の平均値を１ｍｍ以下とした請求項１記載の合成樹脂製容器の口筒部。
【発明の詳細な説明】
【技術分野】
【０００１】
本発明は、押出しブロー成形による容器の口筒部の形状に関するものである。
【背景技術】
【０００２】
図３は押出しブロー成形法の概略を示した説明図であり、押出機Ｅで、溶融状態の樹脂をダイスＤを介して押出し、円筒状のパリソンＰを成形し、このパリソンＰをブロー成形用の割金型Ｍで挟んで、下端部をピンチオフ部Ｐｏでシールした状態でエアブローして容器を成形する。
この際、ブロー成形と同時に容器の口筒部を形成する方法の中に、たとえば特許文献１の図５に示されるＵＰＩ（アッパープラグイン）と一般的に呼ばれる方法がある。
【０００３】
この方法は、図４に示すように、割金型Ｍに挟持されるパリソンＰの上方からプラグＰＬを押し込んで、この割金型ＭとプラグＰＬとにより構成される喰切り部Ｃにより、口筒部１０２の上端面上方の不要部分であるバリＢを切断除去するものであり、このＵＰＩ法によれば、後工程でバリを取り除く必要が無く、製造コストを低減することができる。
【特許文献１】特開２００１−３８４１３０号公報
【発明の開示】
【発明が解決しようとする課題】
【０００４】
しかし、このＵＰＩ法によると、口筒部の上端面外周縁のバリを切断した部分に鋭利な切断痕が形成される場合がある。口筒部に中栓やポンプを嵌合して使用する場合はよいが、そのまま使用する場合にはこの鋭利な切断痕により、指先や、唇を傷つける恐れがある。
【０００５】
本発明は、上記した従来技術における問題点を解消すべく創案されたものであり、口筒部の上端面に形成されるＵＰＩ法による切断痕への指先等の接触を口筒部の形状により抑制することを技術的課題とするものであり、もって安全で、安心して使用できる合成樹脂製容器を低コストで提供することを目的とする。
【課題を解決するための手段】
【０００６】
上記技術的課題を解決する本発明の内、請求項１記載の発明の手段は、
押出しブロー成形による容器の口筒部において、
この口筒部の上端面を、上端面の内側周部に比較して外側周部を段差状に僅かに下位に位置させた形状とすること、
ブロー成形時に、ブロー成形用の割金型に挟持されるパリソンの上方からプラグを押し込んで、内側周部の外周縁部分で、この割金型とプラグにより構成される喰切り部により口筒部の上端面上方の不要部分を切断除去したこと、
にある。
【０００７】
ここで、上記請求項１中に記載される、「ブロー成形用の割金型に挟持されるパリソンの上方からプラグを押し込んで、割金型とプラグにより構成される喰切り部により口筒部上端の不要部分を切断除去する」と云う方法を、以下、ＵＰＩ法と略記する。
そして、請求項１記載の上記構成の基本的な考え方は、ＵＰＩ法によるバリの切断痕を、指先等が最も触れ易くかつ切傷し易いエッジ部である口筒部の上端面外周縁位置から内周縁方向に近づけた位置に形成するようにして、この切断痕による指先等の切傷をなくすことにある。
【０００８】
すなわち、請求項１記載の上記構成により、口筒部の上端面の形状を、内側周部に比較して外側周部を段差状に下位に位置させた形状とすることにより、ＵＰＩ法において、割金型とプラグにより構成される喰切り部をこの段差部分を利用するように配設することにより、バリの切断痕の形成位置を口筒部の内側周部の外周縁部分、すなわち口筒部の上端面外周縁から内周縁方向に近づけて位置させることができる。
【０００９】
ここで、外側周部を段差状に僅かに下位に位置させることにより、この外側周部部分のブロック状の機能が発揮され、切断痕に指先等が直接触れ難くすることができ、たとえ触れたとしても段差が低いので切断痕が指先等に大きく食込むこともないので、切断痕による切傷を防ぐことができる。
【００１０】
ここで、内側周部と外側周部の段差が高くなると、切断痕を内周縁方向に近づけて位置させた場合にも、指先が切断痕に直接接触し、指先等に深く食込む恐れがあるので、この段差は、割金型とプラグにより構成される喰切り部の喰切り性、耐久性等が損なわれない範囲で、できるだけ低くするのが好ましい。
【００１１】
請求項２記載の発明の手段は、請求項１記載の発明において、内側周部と外側周部の段差の平均値を１ｍｍ以下とすること、にある。
【００１２】
上記したように、段差は割金型とプラグにより構成される喰切り部の喰切り性、耐久性等が損なわれない範囲で、できるだけ低くするのが好ましいが、請求項２記載の上記構成は、この段差に係る設計基準を示すものであり、内側周部と外側周部の段差の平均値を１ｍｍ以下とすることにより、口筒部上端面の外側周部部分のブロック状の機能が十分に発揮され、切断痕による指先等の切傷を確実に防ぐことができる。
なお、割金型の型開きを容易にするために、通常外側周部は外周縁方向に斜め下方に若干傾斜させて成形するため、請求項２では平均値で段差の設計基準を示している。
【発明の効果】
【００１３】
本発明は、上記した構成となっているので、以下に示す効果を奏する。
請求項１記載の発明にあっては、ＵＰＩ法で口筒部を形成するにおいて、喰切り部によって形成されるバリの切断痕の形成位置を、口筒部の上端面外周縁の角部から内周縁方向に近づけて、さらに外側周部を段差状に僅かに下位に位置させることにより、この外側周部部分のブロック状の機能が発揮され、切断痕による指先等の切傷を防ぐことができる。
【００１４】
請求項２記載の発明にあっては、段差に係る設計基準を示すものであり、内側周部と外側周部の段差の平均値を１ｍｍ以下とすることにより、口筒部上端面の外側周部部分がブロック状の機能が十分に発揮され、切断痕による指先等の切傷を確実に防ぐことができる。
【発明を実施するための最良の形態】
【００１５】
以下、本発明を実施例に沿って、図面を参照しながら説明する。
図１は本発明の口筒部２の一実施例を示す縦断面図であり、この口筒部２は円筒状であり、外周面に螺条を形成している。
【００１６】
この口筒部２の上端面は段差状に形成されており、内側周部３に比較して外側周部４は僅かに下位に位置している。この外側周部４は外周縁方向に斜め下方に若干傾斜しているが、内側周部３と外側周部４の段差ｈの平均値は０．５ｍｍである。また、内側周部３の外周縁にＵＰＩ法によるバリＢの切断痕６が形成されている。
【００１７】
ここで、上記のように口筒部２の上端面に段差を設けることにより、切断痕６の形成位置を口筒部２の上端面の外周縁から、内周縁方向に寄った位置にすることができ、段差ｈを本実施例の０．５ｍｍと１ｍｍ以下に、十分低くしておけば、たとえ指先が口筒部２上端面の外周縁部分に接触したとしても（図１中の二点鎖線で表した指先Ｆを参照）、外側周部４部分がブロック状の機能を発揮し、切断痕６で指先を傷つけることはない。
【００１８】
ここで、口筒部２の上端面の上方から指先を接触しようとした場合には、この指先が切断痕６に直接触れることもあるが、この切断痕の先端の鋭利な部分には斜めに接触し、さらに段差ｈを本実施例のように十分低くしておけば、切断痕６の指先への食込みは限定されたものとなるので、切傷するまでには至らない。
【００１９】
図２は図１に示す口筒部２を形成するためのＵＰＩ法に係る概略説明図である。ブロー成形用の割金型Ｍに挟持されるパリソンＰの上方開口部からプラグＰＬを押し込んで口筒部２の上端面上方の不要部分であるバリＢを切断除去する際に、この金型ＭとプラグＰＬにより構成される喰切り部Ｃを図２に示されるように段差状にすることにより、バリＢの喰切り部分を口筒部２上端面の内側周部３の外周縁とすることができ、図１に示すようにバリＢの切断痕６の形成位置を内側周部３の外周縁とすることができる。
また、本実施例のように外側周部４を外周縁方向に斜め下方に若干傾斜した形状とすることにより、ブロー成形後の型抜きを容易に達成することができる。
【００２０】
なお、図４に示される従来の喰切り部Ｃでは、口筒部１０２上端面の外周縁に切断痕が形成される。
【００２１】
以上、実施例に沿って本願発明の実施形態とその作用効果について説明したが、本願発明はこの実施例に限定されるものではない。たとえば、本実施例のように螺条を形成した口筒部に限定されるものではないし、また単層の容器であっても多層の容器であってもよい。
【産業上の利用可能性】
【００２２】
以上説明したように、本発明の押出しブロー成形による容器の口筒部は上端面に形成されるＵＰＩ法による切断痕への指先等の直接的な接触を抑制するものであり、安全で安心して使用できる合成樹脂製容器を低コストで提供でき、幅広い展開が期待される。
【図面の簡単な説明】
【００２３】
【図１】本発明の口筒部の一実施例を示す縦断面図である。
【図２】図１に示す口筒部を形成するためのＵＰＩ法に係る概略説明図である。
【図３】押出しブロー成形方法の概略説明図である。
【図４】従来のＵＰＩ法の概略説明図である。
【符号の説明】
【００２４】
１  ；容器
２  ；口筒部
３  ；内側周部
４  ；外側周部
６  ；切断痕
１０２；口筒部
ｈ  ；段差
Ｅ  ；押出機
Ｄ  ；ダイス
Ｍ  ；割金型
Ｐ  ；パリソン
ＰＬ；プラグ
Ｃ  ；喰切り部
Ｂ  ；バリ
Ｐｏ；底部ピンチオフ部
Ｆ  ；指先
【図１】
2008110791.tif 000003
【図２】
2008110791.tif 000004
【図３】
2008110791.tif 000005
【図４】
2008110791.tif 000006